(57)【要約】  【課題】掃除口蓋体の表面を覆う養生用被覆蓋には反りが生じることがなく、取り付けが容易にできる。  【解決手段】排水桝の掃除口に連通する上面開口部２を開閉可能に閉塞した掃除口蓋体８の表面を覆う仮止め養生用被覆蓋15である。掃除口蓋体８を嵌合する枠体３の外径に等しい外径を有し合成樹脂にて射出成型したカバー部16と、カバー部16の裏面に一体に設けて掃除口蓋体８に形成した開閉用の凹部10に係脱可能に係止する係止部17と、カバー部16の表面に形成した取り外し手段20とを備えている。カバー部16は、中央部から外周縁部に向って低く傾斜して中央部が上方に膨出した円盤形状となっている。  【選択図】図１
2005083135.tif 000002
【特許請求の範囲】
【請求項１】
排水桝の掃除口に連通する上面開口部を開閉可能に閉塞した掃除口蓋体の表面を覆う仮止め養生用被覆蓋であって、
前記掃除口蓋体を嵌合する枠体の外径に等しい外径を有し合成樹脂にて射出成型したカバー部と、
このカバー部の裏面に一体に設けられ前記掃除口蓋体に形成した開閉用の凹部に係脱可能に係止される係止部と、
前記カバー部の表面に形成した取り外し手段と
を備え、
前記カバー部は、中央部から外周縁部に向って低く傾斜して中央部が上方に膨出した円盤形状としたことを特徴とする排水桝の掃除口蓋の養生用被覆蓋。
【請求項２】
カバー部の表面には、裏面に設けた係止部の位置を示す係止位置表示手段を設けたことを特徴とする請求項１記載の排水桝の掃除口蓋の養生用被覆蓋。
【請求項３】
取り外し手段はカバー部の表面に起立可能に添着される取っ手部材にて形成され、この取っ手部材は基端部が薄肉部にてカバー部の表面に一体に連結されていることを特徴とする請求項１または２記載の排水桝の掃除口蓋の養生用被覆蓋。
【請求項４】
カバー部はオレフィン系樹脂にて成型したことを特徴とする請求項１ないし３のいずれかに記載の排水桝の掃除口蓋の養生用被覆蓋。
【発明の詳細な説明】
【技術分野】
【０００１】
本発明は、排水桝の立ち上がり管に地表面と同一面に配設される点検、清掃用の蓋を設置する際に、蓋体の表面を覆う排水桝の掃除口蓋の養生用被覆蓋に関する。
【背景技術】
【０００２】
一般に、排水桝の立ち上がり管の上面開口部には、点検、清掃などのために上部に掃除口蓋体が設置されており、通常、排水桝の立ち上がり管を埋設施工する際には、立ち上がり管の上面開口部に枠体を取り付け、この枠体に掃除口蓋体を開閉自在に嵌着した後、枠体と掃除口蓋体との上面と周辺の地表面とをコンクリートなどの舗装材料によって略同一面に仕上げ舗装する。
【０００３】
しかし、このような施工を行うときには、コンクリートなどの舗装材料が枠体や掃除口蓋体の上面にはみ出し、この状態で枠体や蓋体に付着した舗装材料が固化すると、掃除口蓋体の外観が汚損されて見苦しいものとなるおそれがあるため、施工にあたっては舗装材料が枠体や掃除口蓋体の上面にはみ出すことがないように十分な注意を払う必要がある。
【０００４】
そして、舗装材料が枠体や掃除口蓋体の上面にはみ出してしまった場合には、このはみ出した舗装材料を剥離除去する作業が必要となるため、枠体や掃除口蓋体の周辺の地表面を舗装する作業は非常に手間がかかる問題があった。
【０００５】
そこで、このような問題点を解決するため、従来は、枠体および掃除口蓋体の上面に粘着剤を塗布した保護フィルムを貼着してからこの枠体および掃除口蓋体の周辺の地表面をコンクリートなどによって舗装し、この舗装作業が終了した後に前記保護フィルムを枠体および掃除口蓋体から剥離する方法が採られている。
【０００６】
しかし、枠体および掃除口蓋体の上面に保護フィルムを貼着すると、作業中に作業者が枠体や掃除口蓋体を踏み付けた場合、保護フィルムに塗布された粘着テープの粘着物が枠体や掃除口蓋体に貼り付き易く、枠体や掃除口蓋体が粘着物で汚損するという問題があった。
【０００７】
そこで、枠体および掃除口蓋体を立ち上がり管の上面開口部に設置した状態で、枠体および掃除口蓋体の上面を被覆する円形平板状のカバー部と、このカバー部の周縁から垂直下方に突設され前記枠体と前記掃除口蓋体との嵌合面の間隙に挿入可能なスカート部とを有する被覆蓋が知られている（たとえば、特許文献１参照。）。
【０００８】
この従来の被覆蓋は、カバー部に設けたスカート部を枠体と掃除口蓋体の隙間に挿入して枠体と掃除口蓋体との上面を被覆部で被覆し、掃除口蓋体を支持する枠体周辺の地表面を舗装する際に舗装材料が枠体や掃除口蓋体の上面にはみ出して枠体や掃除口蓋体に付着することを防止できる。
【０００９】
しかしながら、掃除口蓋体と枠体との嵌合面をテーパ状として、被覆蓋のカバー部のスカート部を挿入する間隙が形成されないテーパ嵌合の水密構造が多く採用されており、特に掃除口に雨水が流入することを防ぐため、枠体および掃除口蓋体の嵌合面に水密性を保持するために、間隙が形成されていないことが多く、前記従来のカバー部のスカート部を枠体と掃除口蓋体の間隙に挿入することができないという問題を有する。
【００１０】
そこで、掃除口蓋体の表面に設けられている蓋開閉用の凹部に係止可能な係止部をカバー部の裏面に有する円形平板状の被覆蓋が知られている（たとえば、特許文献２参照。）。
【００１１】
この被覆蓋のカバー部の裏面に設けた係止部を掃除口蓋体の蓋開閉用の凹部に設けた取っ手棒に係止して枠体と掃除口蓋体との上面を被覆する構成では、カバー部の表面からは、裏面に設けた係止部の位置が把握し難く、被覆蓋の取り付けに手間取る問題があった。
【特許文献１】実用新案登録第２５６９３１２号公報（第２頁、第３頁、図３、図４）
【特許文献２】実開平１−７９６４０号公報（第２頁、第３頁、図１、図２）
【発明の開示】
【発明が解決しようとする課題】
【００１２】
解決しようとする問題点は、平板状の被覆蓋は従来の粘着材で貼り付ける保護フィルムと異なり、反復使用している間に周縁部の一部が反り上がり易く、また、合成樹脂の射出成型で成型により成型するときにも反りが発生し易く、この被覆蓋の反りによってこの被覆蓋のカバー部と掃除口蓋体との間に隙間が生じ、この隙間からコンクリートなどの舗装材料が入り込み、掃除口蓋体の表面を保護する本来の目的を達し得なくなることである。
【００１３】
本発明はこのような点に鑑みなされたもので、排水桝の地表面に開口した立ち上がり管の開口部を閉塞する掃除口蓋体の表面を覆う被覆蓋に反りが生じることがなく取り付けが容易にできる排水桝の掃除口蓋の養生用被覆蓋を提供するものである。
【課題を解決するための手段】
【００１４】
本発明は、排水桝の掃除口に連通する上面開口部を開閉可能に閉塞した掃除口蓋体の表面を覆う仮止め養生用被覆蓋であって、前記掃除口蓋体を嵌合する枠体の外径に等しい外径を有し合成樹脂にて射出成型したカバー部と、このカバー部の裏面に一体に設けられ前記掃除口蓋体に形成した開閉用の凹部に係脱可能に係止される係止部と、前記カバー部の表面に形成した取り外し手段とを備え、前記カバー部は、中央部から外周縁部に向って低く傾斜して中央部が上方に膨出した円盤形状とした排水桝の掃除口蓋の養生用被覆蓋である。
【００１５】
そして、排水桝の立ち上がり管を埋め戻して地表面を舗装などで仕上げるとき、排水桝の立ち上がり管の上面開口部には枠体を取り付け、この枠体に掃除口蓋体を嵌合して上面開口部を閉塞した後、この掃除口蓋体の表面に被覆蓋のカバー部を重ねて係止部を掃除口蓋体の開閉用の凹部に係脱可能に係止して仮止めすることにより、掃除口蓋体の表面は被覆蓋にて被覆され、この立ち上がり管を埋め戻して掃除口蓋体の周辺をコンクリートなどの舗装材料で舗装するときに舗装材料が掃除口蓋体に付着することが防止できる。
【００１６】
また、被覆蓋のカバー部は、中央部から外周縁部に向って低く傾斜して中央部が上方に膨出した円盤形状としたので、カバー部の周縁部の一部が捲りあがるように反ることによって被覆蓋の周縁部に浮き上がりが生じることがなく、この被覆蓋のカバー部の反りによってこの被覆蓋のカバー部と掃除口蓋体との間に生じた隙間からコンクリートなどの舗装材料が入り込むことを防止できる。
【００１７】
さらに、地表面を仕上げた後、被覆蓋の係止部を掃除口蓋体の開閉用の凹部から引き外すことにより、被覆蓋は掃除口蓋体から外れ、枠体と掃除口蓋体との表面に接着剤などが残留することなく、掃除口蓋体と枠体との体裁が損なわれることがなく、また、被覆蓋は反復して使用することができ、廃棄物の発生量を減少させて環境汚染を防止することができる。
【００１８】
また、本発明は、カバー部の表面には、裏面に設けた係止部の位置を示す係止位置表示手段を設けたものである。
【００１９】
そして、カバー部の表面に設けた係止位置表示手段により、容易に係止部と掃除口蓋体の開閉用の凹部との位置合わせができ、被覆蓋の取り付けが迅速にできる。
【００２０】
さらに、本発明の被覆蓋のカバー部に形成した取り外し手段は、カバー部の表面に起立可能に添着される取っ手部材にて形成され、この取っ手部材は基端部が薄肉部にてカバー部の表面に一体に連結されているものである。
【００２１】
そして、被覆蓋を取り外す場合には、カバー部の表面に添着されている取っ手部材をその基部に形成した薄肉部を軸として引き起し、この取っ手部材を引き上げることにより、容易に被覆蓋を掃除口蓋体から引き剥がすことができ、通常時には、取っ手部材はカバー部の表面に添着され、邪魔になることがない。
【００２２】
また、カバー部は流動性の良好なオレフィン系樹脂にて成型したもので、養生用被覆蓋は薄肉でかつ軽量に成型でき、また、特に、ポリプロピレン樹脂を用いることにより、特有のヒンジ特性を有するために、カバー部の表面に起立可能に添着される取っ手部材を形成した構成に有効である。
【発明の効果】
【００２３】
本発明の排水桝の掃除口蓋の養生用被覆蓋は、排水桝の立ち上がり管を埋め戻して地表面を舗装などで仕上げるときに、この立ち上がり管の上面開口部を閉塞でき、掃除口蓋体の表面にコンクリートなどの舗装材が付着することが防止できる。
【００２４】
また、被覆蓋のカバー部は、カバー部の周縁部の一部が捲りあがるように反ることがないので、被覆蓋は周縁部の浮き上がりが生じることがなく、この被覆蓋のカバー部と掃除口蓋体との間に生じた隙間からコンクリートなどの舗装材料が入り込むことを防止できる。
【００２５】
さらに、地表面を仕上げた後、被覆蓋の係止部を掃除口蓋体の開閉用の凹部から引き外すことにより、被覆蓋は反復して使用することができ、廃棄物の発生量を減少させて環境汚染を防止することができる。
【００２６】
また、本発明の排水桝の掃除口蓋の養生用被覆蓋は、カバー部の表面に設けた係止位置表示手段により、係止部と掃除口蓋体の開閉用の凹部との位置合わせが容易にでき、被覆蓋は掃除口蓋体への取り付けが迅速にできる。
【００２７】
さらに、本発明の排水桝の掃除口蓋の養生用被覆蓋は、被覆蓋を取り外す場合には、カバー部の表面に添着されている取っ手部をその基部に形成した薄肉部を軸として引き起こすことにより、容易に被覆蓋を掃除口蓋体から引き剥がすことができ、通常時には、取っ手部はカバー部の表面に添着され、邪魔になることがない。
【００２８】
また、本発明の排水桝の掃除口蓋の養生用被覆蓋は、カバー部が流動性の良好なオレフィン系樹脂にて成型され、養生用被覆蓋は薄肉でかつ軽量に成型でき、また、特に、ポリプロピレン樹脂を用いることにより、特有のヒンジ特性を有するために、カバー部の表面に起立可能に添着される取っ手部材の耐疲労性が高められ、繰り返し反復使用ができる。
【発明を実施するための最良の形態】
【００２９】
本発明の排水桝の掃除口蓋の養生用被覆蓋の最良の一実施の形態を図１ないし図９に基づいて説明する。
【００３０】
合成樹脂によって成形された図示しない排水桝は周知の構成を備えているもので、内底部に形成されたインバート部の両端部に、このインバート部を介して連通した流入口と流出口が開口され、この流入口は家庭などの排水設備に連通した上流側排水管に接続され、また、前記流出口は下流側排水管に接続される。また、この排水桝には、前記インバート部の上方に位置して略円筒形の掃除口が突設され、この掃除口の上面に開口した開口部には図１ないし図３において、略円筒形の立ち上がり管１の下端側が嵌挿され、この立ち上がり管１の上端部は、上方に向かって前記排水桝の掃除口に連通する上面開口部２が開口されている。
【００３１】
そして、前記立ち上がり管１の上端部に開口した上面開口部２には、枠体３が嵌着される。この枠体３は、前記立ち上がり管１の内径と略同一の外径を有する略円筒形の嵌挿部４と、この嵌挿部４の上部に一体にこの嵌挿部４よりも拡径形成して前記立ち上がり管１の外径と略同一の外径を有する略円筒形の枠体本体部５とを有し、この枠体本体部５と前記嵌挿部４との各外径の差によって前記立ち上がり管１の上面開口部２に係止される環状の係止段部６が形成され、さらに、前記枠体本体部５の内周部には環状の支持部７が突設され、この支持部７に嵌合された略円板状の掃除口蓋体８が開閉自在に支持されている。
【００３２】
さらに、前記掃除口蓋体８は図２に示すように、周縁部に開閉用の凹部10が略等間隔で複数箇所に切欠き形成されている。
【００３３】
また、前記掃除口蓋体８の側面側には環状のシール材保持突縁11が形成され、このシール材保持突縁11に嵌合したゴムなどの環状シール材12が前記枠体３の支持部７の下部に突出する環状突部13の内周面に圧接されて気密に保持されるようになっている。
【００３４】
また、前記枠体３の上面と、この枠体３に支持された前記掃除口蓋体８の上面とは、舗装など仕上げられた地表面14と同一面となる。
【００３５】
また、図１、図４ないし図６に示すように、前記掃除口蓋体８の表面を覆う仮止め養生用被覆蓋15は、ポリプロピレンまたはポリエチレン合成樹脂などの流動性が良好なオレフィン系樹脂にて射出成型されている。この養生用被覆蓋15は前記掃除口蓋体８を嵌合する枠体３の外径に等しい外径を有するカバー部16を備え、このカバー部16は、中央部から外周縁部に向って低く傾斜して中央部が上方に膨出した円盤形状となっている。
【００３６】
このカバー部16の裏面に前記掃除口蓋体８に形成した開閉用の凹部10に係脱可能に係止される係止部17が等間隔で同一円周上に一体に突設され、この係止部17は図７に示すように、先端部にはカバー部16の中心側に膨出する係止突起部18が形成されている。
【００３７】
また、前記カバー部16の表面には、前記係止部17の位置を示す係止位置表示手段となる刻印状の印部19が形成されている。
【００３８】
さらに、前記カバー部16の表面にこの養生用被覆蓋15の取り外し手段20が形成されている。この取り外し手段20は、図１、図８及び図９に示すように、カバー部16の周縁部の近傍に突起状に突出した肉厚突部21に外方に向って工具などを差し込み係合する取り外し操作孔22を開口して形成されている。
【００３９】
次に、この実施の形態の作用を説明する。
【００４０】
排水桝の立ち上がり管１を埋め戻して地表面を舗装などで仕上げるとき、排水桝の立ち上がり管１の上面開口部には枠体３を取り付け、この枠体３に掃除口蓋体８を嵌合して上面開口部２を閉塞した後、この掃除口蓋体８の表面に被覆蓋15のカバー部16を重ねて係止部17を掃除口蓋体８の開閉用の凹部10に係合すると、図３に示すとおり、係止部17が凹部10に弾性変形で挿入されて係止突起部18が掃除口蓋体８の外周面に圧接することによりこの被覆蓋15は掃除口蓋体８に係脱可能に係止して仮止めされる。
【００４１】
この被覆蓋15は掃除口蓋体８に係脱可能に係止するときに、このカバー部16の表面に設けた係止位置表示手段の印部19により、被覆蓋15の裏面に設けた係止部17と掃除口蓋体８の開閉用の凹部10との位置合わせが容易にでき、被覆蓋15の取り付けが迅速にできる。
【００４２】
この状態で、地表面14をコンクリートなどの舗装材料で舗装するとき、掃除口蓋体８は被覆蓋15で被覆されているため、掃除口蓋体８の表面に舗装材が付着することを防止できる。
【００４３】
また、被覆蓋15のカバー部16は、中央部から外周縁部に向って低く傾斜して中央部が上方に膨出した円盤形状としたので、カバー部16の周縁部の一部が捲りあがるように反ることがなく、被覆蓋15は周縁部に浮き上がりが生じることがなく、この被覆蓋15のカバー部16の反りによってこの被覆蓋15のカバー部16と掃除口蓋体８との間に生じた隙間からコンクリートなどの舗装材料が入り込ことを防止できる。
【００４４】
さらに、地表面14を舗装仕上げした後、カバー部16の周縁部の近傍に突起状に突出している肉厚突部21の取り外し操作孔22に工具などを差し込み上方に引き上げることにより、被覆蓋15の係止部17は弾性変形しながら掃除口蓋体８の開閉用の凹部10から引き抜かれて外れ、被覆蓋15は掃除口蓋体８から外れる。この状態で、枠体３と掃除口蓋体８との表面には接着剤などが残留付着することなく、掃除口蓋体８と枠体３との体裁が損なわれることがなく、また、被覆蓋15は反復して使用することができ、廃棄物の発生量を減少させて環境汚染を防止することができる。
【００４５】
また、被覆蓋15のカバー部16が流動性の良好なオレフィン系樹脂にて成型され、被覆蓋15は薄肉でかつ軽量に成型でき、繰り返し反復使用ができる。
【００４６】
次に、他の実施の形態を図１０ないし図１３に基づいて説明する。
【００４７】
前記実施の形態では、前記養生用被覆蓋15カバー部16の表面に設けたこの被覆蓋15の取り外し手段20は、図１、図８及び図９に示すように、カバー部16の周縁部の近傍に突起状に突出した肉厚突部21に外方に向って工具などを差し込み係合する取り外し操作孔22を開口して形成したが、この実施の形態では、取り外し手段20を取っ手状構成としたものである。
【００４８】
この被覆蓋15のカバー部16に形成した取り外し手段20は、カバー部16の表面に起立可能に添着される取っ手部材25にて形成され、この取っ手部材25は基端部が薄肉部26にてカバー部16の表面に一体に連結されているものである。
【００４９】
また、前記カバー部16の取っ手部材25の両側部には、カバー部16の表面に添着した状態の取っ手部材25を保持する保持縁部27が一体に設けられている。
【００５０】
そして、被覆蓋15を掃除口蓋体８の表面から取り外す場合には、図１２に鎖線で示すように、カバー部16の表面に添着されている取っ手部材25をその基部に形成した薄肉部26をヒンジとして引き起こして、この取っ手部材25を引けば、容易に被覆蓋15を掃除口蓋体８から引き剥がすことができ、通常時には、取っ手部材25はカバー部16の表面に添着され、邪魔になることがない。
【００５１】
また、カバー部16は流動性の良好なオレフィン系樹脂、特に、ポリプロピレン樹脂を用いることにより、取っ手部材25の薄肉部26は、特有のヒンジ特性を有するため、カバー部16の表面に起立可能に添着される取っ手部材25の耐疲労性が高められる。
【００５２】
この被覆蓋15の他の構成、作用は、前記実施の形態と同一である。
【００５３】
次に、他の実施の形態を図１４ないし図１６に基づいて説明する。
【００５４】
図１４に示す立ち上がり管１は、前記図１に示す立ち上がり管１と同一構成で、図示しない排水桝の掃除口に、この立ち上がり管１の下端側が嵌挿され、この立ち上がり管１の上端部は、上方に向かって前記排水桝の掃除口に連通する上面開口部２が開口されている。
【００５５】
そして、前記立ち上がり管１の上端部に開口した上面開口部２には、枠体３が設置される。この枠体３は、前記立ち上がり管１の内径と略同一の外径を有する略円筒形の嵌挿部４と、この嵌挿部４の上部に一体にこの嵌挿部４よりも拡径形成して前記立ち上がり管１の外径と略同一の外径を有する略円筒形の枠体本体部５とを有し、この枠体本体部５と前記嵌挿部４との各外径の差によって前記立ち上がり管１の上面開口部２に係止される環状の係止段部６が形成され、さらに、前記枠体本体部５の内周部には環状の支持部７が突設され、この支持部７に嵌合された略円板状の掃除口蓋体8Aが開閉自在に支持されている。
【００５６】
さらに、前記掃除口蓋体8Aは図１４及び図１５に示すように、表面に開閉用の円形状の凹部10Aが２箇所に形成されている。
【００５７】
また、前記掃除口蓋体8Aの側面側には環状のシール材保持突縁11が形成され、このシール材保持突縁11に保持したゴムなどの環状シール材12が前記枠体３の内周面に圧接されて気密に保持されるようになっている。
【００５８】
また、前記枠体３の上面と、この枠体３に支持された前記掃除口蓋体8Aの上面とは、舗装など仕上げられた地表面14と同一面となる。
【００５９】
また、図１４に示すように、前記掃除口蓋体8Aの表面を覆う仮止め養生用被覆蓋15Aは、前記図４ないし図６に示す実施の形態と同様にポリプロピレンまたはポリエチレン合成樹脂などの流動性が良好なオレフィン系樹脂にて射出成型されている。この養生用被覆蓋15Aは前記掃除口蓋体8Aを嵌合する枠体３の外径に等しい外径を有するカバー部16を備え、このカバー部16は、中央部から外周縁部に向って低く傾斜して中央部が上方に膨出した円盤形状となっている。
【００６０】
このカバー部16の裏面には前記掃除口蓋体8Aに形成した開閉用の凹部10Aに係脱可能に嵌合係止される係止部17Aが一体に突設され、この係止部17Aの周面部に環状に膨出する係止突起部18Aが形成されている。
【００６１】
さらに、前記カバー部16の裏面側に突出した係止部17Aにて前記カバー部16の表面には取り外し手段20を形成する円形状の取り外し凹部28が形成されている。
【００６２】
次に、この実施の形態の作用を説明する。
【００６３】
図１ないし図９に示す実施の形態と同様に、排水桝の立ち上がり管１を埋め戻して地表面を舗装などで仕上げるとき、排水桝の立ち上がり管１の上面開口部に取り付けた枠体３に、掃除口蓋体8Aを嵌合して上面開口部２を閉塞した後、この掃除口蓋体8Aの表面に被覆蓋15Aのカバー部16を重ねて係止部17Aを掃除口蓋体8Aの開閉用の凹部10Aに係合すると、図１６に示すとおり、係止部17Aが凹部10Aに弾性変形で挿入されて係止突起部18Aが掃除口蓋体8Aの凹部10Aの内周面に圧接することによりこの被覆蓋15Aは掃除口蓋体8Aに係脱可能に係止して仮止めされる。
【００６４】
この被覆蓋15Aは掃除口蓋体8Aに係脱可能に係止するときに、このカバー部16の表面に形成されている取り外し凹部28が係止位置表示手段となり、被覆蓋15Aの裏面に設けた係止部17Aと掃除口蓋体8Aの開閉用の凹部10Aとの位置合わせが容易にでき、被覆蓋15Aの取り付けが迅速にできる。
【００６５】
この状態で、地表面14をコンクリートなどの舗装材料で舗装するとき、掃除口蓋体8Aは被覆蓋15Aで被覆されているため、掃除口蓋体8Aの表面に舗装材が付着することを防止できる。
【００６６】
また、同様に被覆蓋15Aのカバー部16は、中央部から外周縁部に向って低く傾斜して中央部が上方に膨出した円盤形状としたので、カバー部16の周縁部の一部が捲りあがるように反ることがなく、被覆蓋15Aは周縁部に浮き上がりが生じることがなく、この被覆蓋15Aのカバー部16の反りによってこの被覆蓋15Aのカバー部16と掃除口蓋体8Aとの間に生じた隙間からコンクリートなどの舗装材料が入り込ことを防止できる。
【００６７】
さらに、地表面14を舗装仕上げした後、カバー部16の表面に形成されている取り外し凹部28，28を把持して上方に引き上げることにより、被覆蓋15Aの係止部17Aは弾性変形しながら掃除口蓋体8Aの開閉用の凹部10Aから引き抜かれて外れ、被覆蓋15Aは掃除口蓋体8Aから外れる。この状態で、枠体３と掃除口蓋体8Aとの表面には接着剤などが残留付着することなく、掃除口蓋体8Aと枠体３との体裁が損なわれることがなく、また、被覆蓋15Aは反復して使用することができ、廃棄物の発生量を減少させて環境汚染を防止することができる。
【００６８】
他の構成及び作用は図１ないし図９に示す実施の形態と同一である。
【図面の簡単な説明】
【００６９】
【図１】本発明の一実施の形態を示す排水桝の掃除口と養生用被覆蓋との縦断正面図である。
【図２】同上掃除口蓋の平面図である。
【図３】同上排水桝の掃除口蓋に養生用被覆蓋を取り付けた状態の縦断正面図である。
【図４】同上養生用被覆蓋の平面図である。
【図５】同上養生用被覆蓋の縦断正面図である。
【図６】同上養生用被覆蓋の底面図である。
【図７】同上養生用被覆蓋の取り外し手段と係止部との拡大縦断正面図である。
【図８】同上養生用被覆蓋の取り外し手段の拡大縦断平面図である。
【図９】同上養生用被覆蓋の取り外し手段と係止部との拡大正面図である。
【図１０】本発明の他の実施の形態を示す養生用被覆蓋の平面図である。
【図１１】同上養生用被覆蓋の取り外し手段の拡大平面図である。
【図１２】同上養生用被覆蓋の取り外し手段と係止部との拡大縦断面図である。
【図１３】同上養生用被覆蓋の取り外し手段と係止部との拡大正面図である。
【図１４】本発明のさらに他の実施の形態を示す養生用被覆蓋の縦断正面図である。
【図１５】同上養生用被覆蓋の平面図である。
【図１６】同上排水桝の掃除口蓋に養生用被覆蓋を取り付けた状態の縦断正面図である。
【符号の説明】
【００７０】
２    上面開口部
３    枠体
８，8A    掃除口蓋体
10，10A   凹部
15，15A   養生用被覆蓋
16    カバー部
17，17A   係止部
19    係止位置表示手段
20    取り外し手段
25    取っ手部材
26    薄肉部
【図１】
2005083135.tif 000003
【図２】
2005083135.tif 000004
【図３】
2005083135.tif 000005
【図４】
2005083135.tif 000006
【図５】
2005083135.tif 000007
【図６】
2005083135.tif 000008
【図７】
2005083135.tif 000009
【図８】
2005083135.tif 000010
【図９】
2005083135.tif 000011
【図１０】
2005083135.tif 000012
【図１１】
2005083135.tif 000013
【図１２】
2005083135.tif 000014
【図１３】
2005083135.tif 000015
【図１４】
2005083135.tif 000016
【図１５】
2005083135.tif 000017
【図１６】
2005083135.tif 000018